【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
復号されたデジタルビデオの後処理システムであって、
複数の後処理モジュールのタイプ、積極性（aggressiveness）、前記復号されたデジタルビデオへの適用順序を決定するために、前記復号されたデジタルビデオから取得したブロックベースの符号化情報に基づく測定基準Mを計算する測定基準計算部と、
前記測定基準Mに基づき前記復号されたデジタルビデオの品質を向上する、前記複数の後処理モジュールを有する後処理部と、
前記測定基準Mに基づき、前記後処理部の前記複数の後処理モジュールのうち少なくとも１つの後処理モジュールの起動を制御する制御部とを有し、
前記復号されたデジタルビデオの品質は、前記複数の後処理モジュールの少なくとも１つを順番に起動する前記制御部により向上され、前記起動された少なくとも１つの後処理モジュールは前記測定基準Mに基づき前記デジタルビデオを処理することを特徴とするシステム。
【請求項２】
請求項１に記載のシステムであって、前記複数の後処理モジュールは、アーティファクト低減、シャープネスエンハンスメント、解像度エンハンスメントよりなる一群のタイプから選択した各タイプの少なくとも１つのアルゴリズムを有することを特徴とするシステム。
【請求項３】
請求項２に記載のシステムであって、前記少なくとも１つのアーティファクト低減アルゴリズムは、前記測定基準Mに基づくルミナンス・デリンギング・アルゴリズムと前記測定基準Mに基づくクロミナンス・デリンギング・アルゴリズムとのうち少なくとも１つを有することを特徴とするシステム。
【請求項４】
請求項２に記載のシステムであって、前記制御部は、式
M<VP_THRED
により、前記少なくとも１つのアーティファクト低減アルゴリズムを起動し、前記少なくとも１つのシャープネスエンハンスメントアルゴリズムをオフし、
前記式が成り立たないとき、前記少なくとも１つのアーティファクト低減アルゴリズムをオフし、前記少なくとも１つのシャープネスエンハンスメントアルゴリズムを起動する第１のメカニズムをさらに有し、
VP_THREDは所定の閾値であり、前記アルゴリズムは、一旦起動されると、前記測定基準Mの値に基づいてどのくらい「積極的に」実行するかを決定することを特徴とするシステム。
【請求項５】
請求項２に記載のシステムであって、前記制御部は、前記起動されたアルゴリズムがうまくいったかどうかを判断し、うまくいったときには前記オフされたアルゴリズムを起動する第２のメカニズムをさらに有することを特徴とするシステム。
【請求項６】
請求項４に記載のシステムであって、前記少なくとも１つのアーティファクト低減アルゴリズムは、前記測定基準Mに基づくルミナンス・デリンギング・アルゴリズムおよび前記測定基準Mに基づくクロミナンス・デリンギング・アルゴリズムのうち少なくとも１つを有することを特徴とするシステム。
【請求項７】
請求項４に記載のシステムであって、前記計算された測定基準Mはデジタルビデオ処理のための統一測定基準（UMDVP）であり、UMDVPの値は[-1,1]の範囲にあることを特徴とするシステム。
【請求項８】
請求項７に記載のシステムであって、前記少なくとも１つのアーティファクト低減アルゴリズムは、前記測定基準UMDVPに基づく少なくとも１つのデリンギング・アルゴリズムを有することを特徴とするシステム。
【請求項９】
請求項８に記載のシステムであって、
UMDVP値が１である位置（i,j）にあるピクセルの近傍にある、孤立した０のUMDVP値は、UMDVP値が１と０が混ざっている近傍の過剰なぼやけだけでなく、孤立したピクセルにデリンギング・アルゴリズムを実行することを防止するため１に置き換えられ、前記近傍はデリンギングされるピクセルを取り囲むnxn個のピクセルであることを特徴とするシステム。
【請求項１０】
請求項９に記載のシステムであって、
前記デリンギングアルゴリズムは少なくとも１つのフィルターを有するルミナンス・デリンギング・アルゴリズムであり、
前記少なくとも１つのフィルターは、
ａ．前記UMDVP値が、前記位置(i,j)にあるピクセルの3x3の近傍が均一であり、前記位置(i,j)にあるピクセルが負のUMDVP値を有することを示すかどうかに従って、3x3の近傍サイズを用いて位置(i,j)にあるピクセルのルミナンスフィルタを選択し、
ｂ．前記位置(i,j)のUMDVP値に基づきピクセル(i,j)のルミナンスに対するフィルター後の値を前記選択されたフィルタを用いて計算し、
ｃ．位置(i,j)のUMDVP値に少なくとも部分的に基づき位置(i,j)の元のルミナンス値から位置(i,j)のフィルター後のルミナンス値の最大変位を計算し、
ｄ．前記元の値からの前記フィルター後の値の前記計算された最大変位の関数に基づき、前記位置(i,j)の元のルミナンス値を前記フィルター後の値で置き換えるように構成されていることを特徴とするシステム。
【請求項１１】
請求項１０に記載のシステムであって、前記ピクセル(i,j)のルミナンスのフィルター値は、
Y_filt(i,j)=Y(i,j)-f(UMDVP(i,j))*hp(i,j)
であり、
Y(i,j)は前記元のルミナンス値であり、前記f(UMDVP(i,j))はUMDVP(i,j)の関数であり、hp(i,j)はハイパス信号であることを特徴とするシステム。
【請求項１２】
請求項１１に記載のシステムであって、
f(UMDVP(i,j))=(1-UMDVP(i,j))/a
「a」はnを正の整数としてシーケンス2n=2、4、8、．．．から選択されることを特徴とするシステム。
【請求項１３】
請求項１２に記載のシステムであって、「a」=4であるとき、hp(i,j)の計算は次のフィルターカーネル：
０    −１      ０
−１      ４    −１
０    −１      ０
を用いてなされ、
ローパスフィルタが強すぎないように前記フィルタカーネルの出力に0.5をかけることを特徴とするシステム。
【請求項１４】
請求項１０に記載のシステムであって、前記計算された最大変位の関数は、PAR1とPAR2を所定のパラメータとして、
a.  Max_displ=PAR1+PAR2                ピクセル(i,j)が均一エリアに属するとき
b.  Max_displ=abs(UMDVP)*PAR1+PAR2  ピクセル(i,j)が均一エリアでなく、
UMDVP(i,j)<=0であるとき
c.  Max_displ=PAR2                      上記以外のとき
d.  前記元のルミナンス値と前記フィルタ後の値の差の絶対値が前記計算されたMax_displより大きいとき、前記元の値がそのまま使用されるか、または前記Max_displだけシフトされ
Y_filt(i,j)=Y、
Y_filt=Y+Max_displ、または
Y_filt=Y-Max_displ
であることを特徴とするシステム。
【請求項１５】
請求項１５に記載のシステムであって、前記PAR1=30であり、PAR2=10であることを特徴とするシステム。
【請求項１６】
請求項９に記載のシステムであって、
前記デリンギングアルゴリズムはフィルタを有するクロミナンスデリンギングアルゴリズムであり、前記フィルタは、
a.  前記ピクセル(i,j)の7x7近傍が均一であることを前記UMDVP値が示しているとき、3x5近傍サイズを用いてピクセル(i,j)のクロミナンス値をフィルタし、
b.  ローパスフィルタリングに基づき、ピクセル(i,j)のクロミナンスをフィルター後の値を計算し、
c.  (i,j)における前記UMDVP値に少なくとも部分的に基づき位置(i,j)の前記元のクロミナンス値から位置(i,j)のフィルター後のクロミナンス値の最大変位を計算し、
d.  前記元の値から前記フィルター後の前記計算された最大変位の関数に基づき前記フィルターされたクロミナンス値により位置(i,j)の前記元のクロミナンス値を置き換えるように構成されたことを特徴とするシステム。
【請求項１７】
請求項１に記載のシステムであって、前記制御部は、前記測定基準に基づき、前記後処理部の前記複数の後処理モジュールの前記後処理モジュールを順次起動することを特徴とするシステム。
【請求項１８】
請求項１７に記載のシステムであって、前記後処理モジュールは、少なくとも１つのアーティファクト低減アルゴリズムと少なくとも1つのシャープネスおよび解像度エンハンスメント・アルゴリズムを有することを特徴とするシステム。
【請求項１９】
復号されたデジタルビデオの品質を向上するための、復号されたデジタルビデオの後処理方法であって、
複数の後処理モジュールのタイプ、積極性、前記復号されたデジタルビデオへの適用順序を決定するために、取得したブロックベースの符号化情報に基づく測定基準Mを計算するメカニズムを備えるステップと、
前記測定基準に基づき前記復号されたデジタルビデオの品質を向上するために、前記復号されたデジタルビデオを後処理する複数の後処理モジュールを有するメカニズムを備えるステップと、
前記測定基準に基づき、前記後処理部の前記複数の後処理モジュールのうち少なくとも１つの後処理モジュールの起動するための制御部を備えるステップと、
前記測定基準に基づき前記ブロックの各ピクセルの後処理を制御する測定基準Mを計算するステップと、
選択と処理が前記復号されたデジタルビデオの品質を向上するために前記計算された測定基準Mに基づくところの備えられた前記複数の後処理モジュールの少なくとも１つを起動するステップとを有することを特徴とする方法。
【請求項２０】
請求項１９に記載の方法であって、前記複数の後処理部を備えるステップは、少なくとも１つのアーティファクト低減アルゴリズムと少なくとも１つのシャープネスおよび解像度エンハンスメント・アルゴリズムを備えるステップを有することを特徴とする方法。
【請求項２１】
請求項２０に記載の方法であって、前記少なくとも１つのアーティファクト低減アルゴリズムを備えるステップは、前記測定基準Mに基づく少なくとも１つのルミナンス・デリンギング・アルゴリズムと、前記測定基準Mに基づく少なくとも１つのクロミナンス・デリンギング・アルゴリズムとを備えるステップをさらに有することを特徴とする方法。
【請求項２２】
請求項２０に記載の方法であって、前記起動するステップは、
所定の閾値VP_THREDを備えるステップと、
M<VP_THREDであるとき、
ａ．前記少なくとも1つのシャープネスエンハンスメントアルゴリズムをオフするサブステップと、
ｂ．前記少なくとも１つのアーティファクト低減アルゴリズムを起動するサブステップとを実行するステップと、
M>=VP_THREDであるとき、
ｃ．前記少なくとも１つのアーティファクト低減アルゴリズムをオフするサブステップと、
ｄ．前記少なくとも１つのシャープネスエンハンスメントアルゴリズムを起動するサブステップとを実行するステップと、
前記測定基準Mの値に基づき、どのくらい積極的に前記アルゴリズムを実行するかを前記起動されたアルゴリズムにより決定するステップとを有することを特徴とする方法。
【請求項２３】
請求項２２に記載の方法であって、前記少なくとも１つのアーティファクト低減アルゴリズムを備えるステップは、前記測定基準Mに基づく少なくとも１つのルミナンス・デリンギング・アルゴリズムと前記測定基準Mに基づく少なくとも１つのクロミナンス・デリンギング・アルゴリズムとを備えるステップを有することを特徴とする方法。
【請求項２４】
請求項２３に記載の方法であって、
前記測定基準Mを計算するステップは、デジタルビデオ処理のための統一的測定基準（UMDVP）としてMを計算するメカニズムにさらに基づき、
前記UMDVP測定基準の値は[-1,1]の範囲にあることを特徴とする方法。
【請求項２５】
復号されたデジタルビデオの後処理を実行する記録可能媒体に格納されたプログラムであって、
計算された測定基準に基づき前記復号されたデジタルビデオを後処理する手段と、
前記復号されたデジタルビデオから得たブロックベースの符号化情報に基づき、前記後処理手段のタイプ、積極性、および前記復号されたデジタルビデオへの適用の順序を決定するために、測定基準を計算する手段と、
前記計算された測定基準を用いて前記後処理手段の起動および起動の順序を制御する手段とを有することを特徴とするプログラム。